(57)【要約】      （修正有）【課題】浮力と保温効果とを兼ね具え、同時に軽いという特性を達成する人造繊維生地を提供する。【解決手段】複数の長繊維３１１と複数のホットメルトコットン３１２とを含む繊維生地３１と、及び該繊維生地３１上に分散して固定される複数の空気カプセル３２と、を含んでなり、該空気カプセル３２が可塑性材質によってなるとともに、該空気カプセルの粒径が０．１ｍｍから１０ｍｍであって、該繊維生地３１上に分布する該空気カプセル３２を熱圧着方式によって該ホットメルトコットン３１２と該長繊維３１１とに粘着させて固定する。【選択図】図１
0003222869.tif 000002
【実用新案登録請求の範囲】
【請求項１】
複数の長繊維と複数のホットメルトコットンとを含む繊維生地と、及び該繊維生地上に分散して固定される複数の空気カプセルと、を含んでなり、
該空気カプセルが可塑性材質によってなるとともに、該空気カプセルの粒径が０．１ｍｍから１０ｍｍであって、
該繊維生地上に分布する該空気カプセルを熱圧着方式によって該ホットメルトコットンと該長繊維とに粘着させて固定することを特徴とする浮力と保温効果とを具える人造繊維生地。
【請求項２】
前記長繊維と、前記ホットメルトコットンと、前記空気カプセルとを全て混合、攪拌し、かつ熱圧着の方式で前記人造繊維生地を成型することを特徴とする請求項１に記載の浮力と保温効果とを具える記載の人造繊維生地。
【請求項３】
前記空気カプセルの内部に収納空間を形成し、かつ該収納空間内を真空状態にすることを特徴とする請求項１に記載の浮力と保温効果とを具える人造繊維生地。
【考案の詳細な説明】
【技術分野】
【０００１】
この考案は生地に関し、特に浮力と保温効果とを具える人造繊維生地に関する。
【背景技術】
【０００２】
被服の保温機能の良否は、熱伝動による放熱に関係する。暖かい布帛は「発熱、又は蓄熱」の機能を必要とする。布帛の保温特性の有無を決めるのは、主に布帛の材質が主要な要素の一つになる。一般に布帛の材質は、コットン、毛、リネン、シルク、人造繊維などに分けられるが、動物繊維は人造繊維に比して絶対に暖かい。そこで、人造繊維による生地に好ましい保温効果を持たせるために、業界では新規な後工程加工処理技術が開発され、人造繊維による生地に保温効果を付与するのみならず、更には発熱。蓄熱効果を付与することができるようになった。
【０００３】
天然の素材は高価格である。このため、目下市販されている不織布のほとんどは人造繊維（化学繊維とも称する）によるものであって、例えば、ポリエステル（ｐｏｌｙｅｓｔｅｒ）繊維、ナイロン（ｎｙｌｏｎ）、アクリル（ａｃｒｙｌｉｃ）繊維、弾性繊維（ｓｐａｎｄｅｘ）などが挙げられ、かつこれらはポリプロピレン（ＰＰ）、ポリエチレンテレフタレート（ＰＥＴ）、ポリアミド（ナイロン樹脂）（ＰＡ）などの成分を材質とする。それぞれの材質による生地は異なる特性を具え、例えば、ポリエステル（ｐｏｌｙｅｓｔｅｒ）繊維は、材質自体の熱伝導係数が高い。熱伝導係数が高いと、相対的に熱を保留することができない。よって、保温効果は明らかではない。アクリル繊維は触った感覚がウールに近く、保温効果もポリエステル繊維などに比して優れている。このようにそれぞれの材質は、いずれも特性を具えるが、但し、保温効果について言えば、やはり限りがある。
【０００４】
そこで、通常は。二種類の異なる材質の生地を縫い合わせて用いる。例えば、外側には風に強い材質の生地を採用し、内層にはダウン、又はコットンなどのふっくらしていて保温効果を具える材質を用いる。しかしながら、係る方式は、被服を過度に厚く、重くするのみならず、ダウンやコットンは使用する過程において容易に位置がずれる。このため保温効果が低下する。しかも、ダウンは直接水洗いすることができない。また、コットンやダウンは、水洗いすることによって位置がずれるという現象が容易に発生し、保温効果が大幅に低下する。さらに、一般に生地には浮力を発生させるという効果を具えない。保温効果を具えているだけでは、その他用途に用いることができない。この点については、改良の余地がある。
【考案の概要】
【考案が解決しようとする課題】
【０００５】
この考案は、浮力と保温効果とを兼ね具え、同時に軽いという特性を達成する生地であって、即ち、浮力と保温効果とを具える人造繊維生地を提供することを課題とする。
【課題を解決するための手段】
【０００６】
そこで、この考案による浮力と保温効果とを具える人造繊維生地は、複数の長繊維と複数のホットメルトコットンとを含む繊維生地と、及び該繊維生地上に分散して固定される複数の空気カプセルと、を含んでなり、該空気カプセルが可塑性材質によってなるとともに、該空気カプセルの粒径が０．１ｍｍから１０ｍｍであって、  該繊維生地上に分布する該空気カプセルを熱圧着方式によって該ホットメルトコットンと該長繊維とに粘着させて固定する。
【０００７】
また、前記長繊維と、ホットメルトコットンと空気カプセルとを全て混合、攪拌し、かつ熱圧着の方式で前記人造繊維生地を成型する。
【考案の効果】
【０００８】
この考案による浮力と保温効果とを具える人造繊維生地は、熱伝導係数が低下し、熱エネルギーを容易に放出することがなく、保温効果を高めることができる。係る人造繊維生地で被服か、又は物品を製作した場合、同等の体積でも重量が低下して、被服であれば軽く、好ましい着心地が得られ、物品であれば軽量で、携帯に便利である。また、かかる被服は空気カプセルを設けることによって熱伝導係数が低下し、熱エネルギーを容易に放出することなく、優れた保温効果が得られる。さらには、空気カプセルを設けることによって浮力が得られライフジャケットとして使用することができる。よって、この考案による人造繊維生地は、保温効果を具え、軽量で、着心地がよく、かつ浮力を有するなどの効果が得られる。
【図面の簡単な説明】
【０００９】
【図１】この考案による浮力と保温効果とを具える人造繊維生地の構造を示した説明図である。
【図２】この考案による浮力と保温効果とを具える人造繊維生地の使用態様を示した説明図である。
【考案を実施するための形態】
【実施例】
【００１０】
図１、図２に、この考案の好ましい実施の形態を開示する。図面に開示する人造繊維生地３は、浮力と保温効果とを具え、繊維生地３１と、及び繊維生地３１上に分散して固着する複数の空気カプセル３２とを含んでなる。繊維生地３１は、複数の長繊維と３１１と、ホットメルトコットン３１２とが互いに粘着して結合してなる。空気カプセル３２は、繊維生地３１上に分布し、ホットメルトコットン３１２及び長繊維３１１に粘着して固定される。
【００１１】
上述する人造繊維生地３を製造する実際の工程においては、長繊維３１１と、ホットメルトコットン３１２と、空気カプセル３２とを全て混合、攪拌し、かつ熱圧着の方式を採用して人造繊維生地３を成型するか、もしくは長繊維３１１とホットメルトコットン３１２とによって繊維生地３１を先に成型してから、成型した繊維生地３１に空気カプセル３２を熱圧着の方式で固着させて人造繊維生地３を得てもよい。実施例においては、長繊維３１１と、ホットメルトコットン３１２と、空気カプセル３２とを全て混合、攪拌し、さらに熱圧着の方式で人造繊維生地３を成型する。以下は、係る方式の説明である。
【００１２】
前述する熱圧着の方式については、例えば高温の気体を長繊維３１１とホットメルトコットン３１２との内部に吹き込ませるなどの方式で、長繊維３１１とホットメルトコットン３１２とを加熱し、長繊維３１１の熱を受けた部分を溶解するか、ホットメルトコットン３１２の熱を受けた部分を溶解して粘着性を発生させる。次いで、ホットメルトコットン３１２と長繊維３１とに加圧して繊維生地３１を成型するか、もしくは直接熱圧着する方式を採用して、直接加熱、加圧して一部の長繊維３１１とホットメルトコットン３１２とを溶解して粘着性をさせ、かつ粘着させて一体に成型するとともに、空気カプセル３２を粘着させて一体に固定し、直接被服を（衣服、ズボン）や物品（例えば毛布、バッグなど）を製造する後続の工程に供して、製造の便宜を図る。
【００１３】
空気カプセル３２は可塑化材質によってなり、加熱の過程において可塑化材質の表面に溶解が発生し、長繊維３１１とホットメルトコットン３１２とが溶解すると、空気カプセル３２の溶解が発生した表面と粘着して一体になり、繊維生地３１に固定されて結合し、繊維生地３１が成型された後から位置がずれることはない。
【００１４】
また、空気カプセル３２は空気を内包する。即ち、空気カプセル３２は内部に収納空間３２１が形成され、収納空間３２１内に空気を収納することで空気を内包するか、もしくは内部を真空状態にする。さらに、空気カプセル３２は、好ましくは粒径を０．１ｍｍから１０ｍｍとする。空気カプセル３２自体は可塑化材質によってなり、かつ空気を内包するか、もしくは真空状態にするため、質量が軽いという特性を具え、人造繊維生地３の重量を増加させることはない。同時に、空気カプセル３２は粒径が０．１ｍｍから１０ｍｍと微小であり、長繊維３１１とホットメルトコットン３１２との上に粘着して固定され、長繊維３１１とホットメルトコットン３１２と一体に形成されるため、人造繊維生地３を使用する上で、特に空気カプセル３２が凸出することはない。また、空気カプセル３２は、空気を内包するものであって、一定の形状を具える固形の形態ではない。即ち、空気カプセル３２は外部から圧力を受けると、該圧力にしたがって変形する。このため空気カプセル３２に触れた感覚は明らかでなく、人造繊維３を外層に用いた被服を着用しても、人造繊維３の触感に影響を与えることはない。さらに、空気カプセル３２は熱伝導性が極めて低いため、放熱を防ぐことができ、人造繊維生地３の保温性を効率よく高めることができる。
【００１５】
図２に開示するように、人造繊維生地３は空気カプセル３２を内部に含んでなり、かつ空気カプセル３２は大量の空気を内包するか、もしくは真空状態とする。したがって、係る人造繊維生地３で被服か、又は物品を製作した場合、該被服、又は物品には一定の浮力が付与される。よって、係る浮力の付与された被服を着用した場合、予期せず水に落ちても一時的な浮力が得られ、ライフジャケットとして使用することができる。
【００１６】
この考案における人造繊維生地３は、空気カプセル３２を設け、かつ空気カプセルが空気を内包するため、後続の工程で製造した被服、もしくは物品は、同等の体積であっても重量が低下し、被服は軽く、着心地がよく、物品であれば、軽量で携帯の便利である。而も、空気カプセル３２を設けた人造繊維生地３は熱伝導係数が低下し、熱エネルギーを容易に放出することがなく、保温効果を高めることができる。同時に、空気カプセル３２は、浮力を具えるため、ライフジャケットなどの救命具として用いることができるこのため、この考案における人造繊維生地３は、軽量で、保温効果を具え、かつ浮力を有するという効果が得られる。
【００１７】
以上をまとめると、この考案による浮力と保温効果とを具える人造繊維生地３は、繊維生地３１と、及び繊維生地３１上に分散して固着する複数の空気カプセル３２とを含んでなる。繊維生地３１は、長繊維３１１とホットメルトコットン３１２とによってなり、空気カプセル３２は可塑性材質によってなり、粒径を０．１ｍｍから１０ｍｍとし、繊維生地３上に分布して長繊維３１１とホットメルトコットン３１２とに粘着して固定される。したがって、熱伝導係数が低下し、熱エネルギーを容易に放出することがなく、保温効果を高めることができる。係る人造繊維生地３で被服か、又は物品を製作した場合、空気カプセル３２を設けることによって熱伝導係数が低下し、熱エネルギーを容易に放出することなく、保温効果を高めることができる。また、空気カプセル３２が空気を内包するため、被服全体の重量が低下し、軽く、着心地がよいという効果が得られる。而も、係る浮力の付与された被服を着用した場合、予期せず水に落ちても浮力が得られ、ライフジャケットとして使用することができる。よって、この考案による人造繊維生地３は、保温効果を具え、軽量で、着心地がよく、かつ浮力を有するなどの効果が得られ、前述するこの考案の解決しようとする課題を十分に解決するものである。
【符号の説明】
【００１８】
３    人造繊維生地
３１      繊維生地
３１１    長繊維
３１２    ホットメルトコットン
３２      空気カプセル
３２１    収納空間
【図１】
0003222869.tif 000003
【図２】
0003222869.tif 000004